(57)【要約】      （修正有）【課題】気密性をある程度保ちながら且つ採光できる壁材を提供する。【解決手段】壁材１は、複数の開口部２ａを有する第１の板状部材２と、第１の板状部材２の複数の開口部２ａに対応するように設けられた複数の開口部３ａを有し、第１の板状部材２に粘着剤又は接着剤により接合される第２の板状部材３と、第１の板状部材２の複数の開口部２ａと第２の板状部材３の複数の開口部３ａで形成される空間Pに複数の球形状の光透過性部材４が収納されている。第１の板状部材２の複数の開口部２ａは、全て外方へ臨む開口部２ａの開口面積が第１の板状部材２の内方へ臨む開口部２ａの開口面積より小さく、開口部２ａの形状は、半球を第１の板状部材２の内方の面と平行な面で切断した球面形状であり、第２の板状部材３と第１の板状部材２は、接合面に対して対称形状をなしている。【選択図】図３
2006233667.tif 000002
【特許請求の範囲】
【請求項１】
複数の開口部を有する第１の板状部材と、
この第１の板状部材の複数の開口部は、全て外方へ臨む開口部の開口面積は前記第１の板状部材の内方へ臨む開口部の開口面積より小さく、前記開口部の形状は、半球を前記第１の板状部材の内方の面と平行な面で切断した球面形状であり、
前記第１の板状部材の複数の開口部に対応するように設けられた複数の開口部を有し、前記第１の板状部材に粘着剤又は接着剤により接合される第２の板状部材と、
この第２の板状部材の複数の開口部は、全て外方へ臨む開口部の開口面積は前記第２の板状部材の内方へ臨む開口部の開口面積より小さく、前記開口部の形状は、半球を前記第２の板状部材の内方の面と平行な面で切断した球面形状であり、
前記第２の板状部材と前記第１の板状部材は、接合面に対して対称形状をなし、前記第１の板状部材の複数の開口部と前記第２の板状部材の複数の開口部で形成される空間に複数の球形状の光透過性部材が収納されていることを特徴とする壁材。
【請求項２】
第１の板状部材及び第２の板状部材の外方へ臨む開口部の形状は、円形、楕円、多角形の内のいずれか一つ又は二つ以上を組み合わせであることを特徴とする請求項１記載の壁材。
【請求項３】
第１の板状部材の内方へ臨む開口部の周囲に設けられ、粘着剤又は接着剤を溜める凹所であるたまり部と、前記凹所の突出した前記開口部に近い側の面は、前記凹所の突出した前記開口部に遠い側の面より低くなっていることを特徴とする請求項１又は２記載の壁材。
【請求項４】
複数の開口部を有する第１の板状部材と、
この第１の板状部材の複数の開口部は、全て外方へ臨む開口部の開口面積は前記第１の板状部材の内方へ臨む開口部の開口面積より小さく、前記開口部の形状は、半球を前記第１の板状部材の内方の面と平行な面で切断した球面形状であり、
前記第１の板状部材の複数の開口部に対応するように設けられた複数の開口部を有し、前記第１の板状部材に粘着剤又は接着剤により接合される第２の板状部材と、
この第２の板状部材の複数の開口部は、全て外方へ臨む開口部の開口面積は前記第２の板状部材の内方へ臨む開口部の開口面積より小さく、前記開口部の形状は、半球を前記第２の板状部材の内方の面と平行な面で切断した球面形状であり、
前記第２の板状部材と前記第１の板状部材は、接合面に対して対称形状をなし、前記第１の板状部材の複数の開口部と前記第２の板状部材の複数の開口部で形成される空間に複数の球形状の光透過性部材が収納されていることを特徴とする板状部材。
【発明の詳細な説明】
【技術分野】
【０００１】
本発明は、壁材及び板状部材に係り、特に、気密性をある程度保ちながら且つ採光できる壁材に関する。
【背景技術】
【０００２】
従来、間仕切りとして、格子孔を有するパネル体がある（特許文献１等参照）。
【特許文献１】実用新案登録第３０９１１５２号公報
【発明の開示】
【発明が解決しようとする課題】
【０００３】
しかし、上記パネル体は採光できるが、となりの風景が格子孔を介してストレートに入るため、となりの風景等の保護（例えば、プライバシーの保護）を図ることができないという問題が生じた。
【０００４】
本発明の目的は、上記問題を除去するようにした壁材を提供することにある。
【課題を解決するための手段】
【０００５】
本発明の壁材は、複数の開口部を有する第１の板状部材と、この第１の板状部材の複数の開口部は、全て外方へ臨む開口部の開口面積は前記第１の板状部材の内方へ臨む開口部の開口面積より小さく、前記開口部の形状は、半球を前記第１の板状部材の内方の面と平行な面で切断した球面形状であり、前記第１の板状部材の複数の開口部に対応するように設けられた複数の開口部を有し、前記第１の板状部材に粘着剤又は接着剤により接合される第２の板状部材と、この第２の板状部材の複数の開口部は、全て外方へ臨む開口部の開口面積は前記第２の板状部材の内方へ臨む開口部の開口面積より小さく、前記開口部の形状は、半球を前記第２の板状部材の内方の面と平行な面で切断した球面形状であり、前記第２の板状部材と前記第１の板状部材は、接合面に対して対称形状をなし、前記第１の板状部材の複数の開口部と前記第２の板状部材の複数の開口部で形成される空間に複数の球形状の光透過性部材が収納されているものである。
【０００６】
また、請求項２記載の壁材は、請求項１記載の壁材において、第１の板状部材及び第２の板状部材の外方へ臨む開口部の形状は、円形、楕円、多角形の内のいずれか一つ又は二つ以上を組み合わせである。
【０００７】
また、請求項３記載の壁材は、請求項１又は２記載の壁材において、第１の板状部材の内方へ臨む開口部の周囲に設けられ、粘着剤又は接着剤を溜める凹所であるたまり部と、前記凹所の突出した前記開口部に近い側の面は、前記凹所の突出した前記開口部に遠い側の面より低くなっているものである。
【０００８】
また、請求項４記載の板状部材は、複数の開口部を有する第１の板状部材と、この第１の板状部材の複数の開口部は、全て外方へ臨む開口部の開口面積は前記第１の板状部材の内方へ臨む開口部の開口面積より小さく、前記開口部の形状は、半球を前記第１の板状部材の内方の面と平行な面で切断した球面形状であり、前記第１の板状部材の複数の開口部に対応するように設けられた複数の開口部を有し、前記第１の板状部材に粘着剤又は接着剤により接合される第２の板状部材と、この第２の板状部材の複数の開口部は、全て外方へ臨む開口部の開口面積は前記第２の板状部材の内方へ臨む開口部の開口面積より小さく、前記開口部の形状は、半球を前記第２の板状部材の内方の面と平行な面で切断した球面形状であり、前記第２の板状部材と前記第１の板状部材は、接合面に対して対称形状をなし、前記第１の板状部材の複数の開口部と前記第２の板状部材の複数の開口部で形成される空間に複数の球形状の光透過性部材が収納されているものである。
【発明の効果】
【０００９】
請求項１記載の壁材によれば、第１の板状部材の複数の開口部と第２の板状部材の複数の開口部で形成される空間に複数の球形状の光透過性部材を収納しているため、気密性をある程度保ちながら且つ採光できると共に、球形状の光透過性部材を介するため、となりの風景をストレートではなく、屈折して取り入れるため、となりの風景等の保護（例えば、プライバシーの保護）を図ることができる。
【００１０】
また、請求項３記載の壁材によれば、前述した請求項１記載の発明の効果に加え、第１の板状部材の内方へ臨む側へローラで粘着剤又は接着剤を塗布する際、凹所の突出した開口部に近い側の面は、凹所の突出した開口部に遠い側の面より低くなっているため、凹所の突出した開口部に近い側の面に粘着剤又は接着剤が付着せず、凹所の突出した開口部に遠い側の面より開口部へ向かう粘着剤又は接着剤を凹所であるたまり部に溜め、開口部付近に粘着剤又は接着剤が付着するのを防ぎ、粘着剤又は接着剤が壁材の表面に付着するのを防止することができる。
【発明を実施するための最良の形態】
【００１１】
本発明の一実施例を図面を参照して説明する。１は、壁材、例えば、間仕切りに使用されるものである。
壁材１は、矩形形状の第１の板状部材２と、同形状の矩形形状の第２の板状部材３と
、第１の板状部材２と第２の板状部材３との間に位置する球形状の光透過性部材４とを備え、第１の板状部材２と第２の板状部材３は粘着剤又は接着剤を介して接合されている（図１及び図２参照）。
【００１２】
第１の板状部材２は、図３及び図４に示すように、貫通した複数の開口部２ａを有し、第１の板状部材２の複数の開口部２ａは、全て外方へ臨む開口部の開口面積A1は第１の板状部材２の内方へ臨む開口部２ａの開口面積A2より小さく、開口部２ａの形状は、半球を半球の先端部を第１の板状部材２の内方の面２１と平行な面で切断した球面形状となっている。つまり、開口部２ａの断面形状は、図４に示す略半径Rの球体の半球の先端部が切除されたものとなっている。
【００１３】
なお、図３及び図４に示すように、２ｂは粘着剤又は接着剤を溜める凹所であるたまり部で、たまり部２ｂは、第１の板状部材２の内方へ臨む開口部２ａの周囲に設けられ、前記凹所の突出した開口部２ａに近い側の面２Aは、前記凹所の突出した開口部２ａに遠い側の面２Bより低くなっている（例えば、図４に示す高さH分低くなっている)。
従って、図５及び図６に示すように、第１の板状部材２の内方へ臨む側へローラLで粘着剤又は接着剤を塗布する際、凹所の突出した開口部２ａに近い側の面２Aは、凹所の突出した開口部２ａに遠い側の面２Bより低くなっているため、凹所の突出した開口部２ａに近い側の面２Aに粘着剤又は接着剤が付着せず、凹所の突出した開口部２ａに遠い側の面２Bより開口部２ａへ向かう接着剤を凹所であるたまり部２ｂに溜め、開口部２ａ付近に粘着剤又は接着剤が付着するのを防ぎ、粘着剤又は接着剤が壁材１の表面に付着するのを防止することができる。
【００１４】
第２の板状部材３は、第１の板状部材２の複数の開口部２ａに対応するように設けられた複数の開口部３ａを有し、第１の板状部材２に粘着剤又は接着剤により接合され、第２の板状部材３の貫通した複数の開口部３ａは、第１の板状部材２と同様に、全て外方へ臨む開口部３ａの開口面積B1は第２の板状部材２の内方へ臨む開口部３ａの開口面積B2より小さく、開口部３ａの形状は、半球を半球の先端部を第２の板状部材３の内方の面３１と平行な面で切断した球面形状となっている。つまり、開口部３ａの断面形状は、略半径Rの球体の半球の先端部が切除されたものとなっている。
【００１５】
第２の板状部材３と第１の板状部材２は、図２に示すように、接合面Sに対して対称形状をなしている。そして、第１の板状部材２の複数の開口部２ａと第２の板状部材３の複数の開口部３ａで形成される空間Pに複数の球形状の光透過性部材４（光透過性部材４は、光を透過する部材で、例えば、ガラス、プラスチック等で形成されている。）が収納されている。
従って、第２の板状部材３の複数の開口部３ａに複数の球形状の光透過性部材４を置き、粘着剤又は接着剤が塗布された第１の板状部材２を第２の板状部材３の形状が一致するように合わせて、粘着剤又は接着剤により接合して壁材１を形成することができる。
その結果、壁材１においては、第１の板状部材２の複数の開口部２ａと第２の板状部材３の複数の開口部３ａで形成される空間Pに複数の球形状の光透過性部材４を収納しているため、気密性をある程度保ちながら且つ採光できると共に、球形状の光透過性部材４を介するため、となりの風景をストレートではなく、屈折して取り入れるため、となりの風景等の保護（例えば、プライバシーの保護）を図ることができる。
【００１６】
なお、第１の板状部材２の外方へ臨む開口部２ａの形状（平面的形状）は、図７（ａ）に示すように、円形でも、また、図７（ｂ）（ｃ）（ｄ）に示すように、多角形でも、また、図示しないが、楕円でも良いし、又は二つ以上を組み合わせ（例えば、円形と多角形の組み合わせ、多角形と楕円の組み合わせ、楕円と円形の組み合わせ、円形と多角形と楕円の組み合わせ）でも良い。第２の板状部材３も第１の板状部材２と同様に、第２の板状部材３の外方へ臨む開口部３ａの形状は、円形、楕円、多角形でも良いし、又は二つ以上を組み合わせ（例えば、円形と多角形の組み合わせ、多角形と楕円の組み合わせ、楕円と円形の組み合わせ、円形と多角形と楕円の組み合わせ）でも良い。
【００１７】
また、上述した実施例においては、壁材１の例として、例えば、間仕切りを挙げたが、本発明にあっては、これに限らず、壁材１の構造をそのまま「板状部材」としても良く（請求項１乃至３記載の壁材の構成を板状部材の構成にそのまま適用する。）、かかる場合、一実施形態として、家具等の化粧材として利用することができる。
【図面の簡単な説明】
【００１８】
【図１】図１は、本発明の壁材の使用状態を示す概略的斜視図である。
【図２】図２は、図１の２-２線による概略的断面図である。
【図３】図３は、図２を分解して示す概略的分解図である。
【図４】図４は、図３の一部を示す概略的断面図である。
【図５】図５は、ローラによる粘着剤又は接着剤の塗布状態を示す概略的断面図である。
【図６】図６は、ローラによる粘着剤又は接着剤の塗布状態を示す概略的斜視図である。
【図７】図７（ａ）は、第１の板状部材の一部を拡大して示す概略的図であり、図７（ｂ）〜（ｄ）は、図７（ａ）の変形例を示す概略的図である。
【符号の説明】
【００１９】
１    壁材
２    第１の板状部材
２ａ  開口部
３    第２の板状部材
３ａ  開口部
４    光透過性部材
P     空間
【図１】
2006233667.tif 000003
【図２】
2006233667.tif 000004
【図３】
2006233667.tif 000005
【図４】
2006233667.tif 000006
【図５】
2006233667.tif 000007
【図６】
2006233667.tif 000008
【図７】
2006233667.tif 000009